(57)【要約】【課題】周囲の環境に応じて撮影時の設定を自動的に調整することができなかった。【解決手段】周囲の環境に関する条件である環境条件と、撮影時の設定を示す設定情報とを有する１以上の設定管理情報が格納される設定管理情報格納部と、周囲の環境を示す環境情報を受け付ける受付部と、受付部が受け付けた環境情報が合致する環境条件に対応する設定情報を取得する設定情報取得部と、設定情報取得部が取得した設定情報が示す撮影時の設定を行う撮影設定部とを備える撮影装置により、周囲の環境に応じて撮影時の設定を自動的に調整することができる。【選択図】図１
2014134638.tif 000002
【特許請求の範囲】
【請求項１】
周囲の環境に関する条件である環境条件と、撮影時の設定を示す設定情報とを有する１以上の設定管理情報が格納される設定管理情報格納部と、
周囲の環境を示す環境情報を受け付ける受付部と、
前記受付部が受け付けた環境情報が合致する環境条件に対応する設定情報を取得する設定情報取得部と、
前記設定情報取得部が取得した設定情報が示す撮影時の設定を行う撮影設定部とを備える撮影装置。
【請求項２】
前記環境条件は、天候をも含む周囲の環境に関する条件であり、
前記受付部は、
天候を示す天候情報をも有する環境情報を受け付ける請求項１記載の撮影装置。
【請求項３】
前記環境条件は、湿度をも含む周囲の環境に関する条件であり、
前記受付部は、
湿度を示す湿度情報をも有する環境情報を受け付ける請求項１または請求項２記載の撮影装置。
【請求項４】
前記受付部は、
環境情報を受信する請求項１から請求項３いずれか一項に記載の撮影装置。
【請求項５】
前記受付部は、
現在位置に対応する環境を示す環境情報を受信する請求項４記載の撮影装置。
【請求項６】
前記設定情報は、ホワイトバランスの設定を示す情報である請求項１から請求項４いずれか一項に記載の撮影装置。
【請求項７】
周囲の環境に関する条件である環境条件と、撮影時の設定を示す設定情報とを有する１以上の設定管理情報が格納される設定管理情報格納部と、受付部と、設定情報取得部と、撮影設定部とを用いて行われる撮影設定方法であって、
前記受付部が、
周囲の環境を示す環境情報を受け付ける受付ステップと、
前記設定情報取得部が、
前記受付部が受け付けた環境情報が合致する環境条件に対応する設定情報を取得する設定情報取得ステップと、
前記撮影設定部が、
前記設定情報取得部が取得した設定情報が示す撮影時の設定を行う撮影設定ステップとを備える撮影設定方法。
【請求項８】
周囲の環境に関する条件である環境条件と、撮影時の設定を示す設定情報とを有する１以上の設定管理情報が格納される設定管理情報格納部にアクセス可能なコンピュータを、
周囲の環境を示す環境情報を受け付ける受付部と、
前記受付部が受け付けた環境情報が合致する環境条件に対応する設定情報を取得する設定情報取得部と、
前記設定情報取得部が取得した設定情報が示す撮影時の設定を行う撮影設定部として機能させるためのプログラム。
【発明の詳細な説明】
【技術分野】
【０００１】
本発明は、撮影装置等に関するものである。
【背景技術】
【０００２】
従来、主に静止画を撮影するいわゆるデジタルカメラが開発されている（非特許文献１参照）。
【先行技術文献】
【非特許文献】
【０００３】
【非特許文献１】“デジタルスチルカメラ Cyber-shot“サイバーショット””、［online］、ソニー株式会社、［２０１２年１２月１４日検索］、インターネット［URL；http://www.sony.jp/cyber-shot/］
【発明の概要】
【発明が解決しようとする課題】
【０００４】
従来のデジタルカメラでは、周囲の環境に応じて撮影時の設定を自動的に調整することができなかった。
【課題を解決するための手段】
【０００５】
本第一の発明の撮影装置は、周囲の環境に関する条件である環境条件と、撮影時の設定を示す設定情報とを有する１以上の設定管理情報が格納される設定管理情報格納部と、周囲の環境を示す環境情報を受け付ける受付部と、受付部が受け付けた環境情報が合致する環境条件に対応する設定情報を取得する設定情報取得部と、設定情報取得部が取得した設定情報が示す撮影時の設定を行う撮影設定部とを備える撮影装置である。
【０００６】
このような構成により、周囲の環境に応じて撮影時の設定を自動的に調整することができる。
【０００７】
また、本第二の発明の撮影装置は、第一の発明に対して、環境条件は、天候をも含む周囲の環境に関する条件であり、受付部は、天候を示す天候情報をも有する環境情報を受け付ける撮影装置である。
【０００８】
このような構成により、周囲の天候をも含む周囲の環境に応じて、撮影時の設定を自動的に調整することができる。
【０００９】
また、本第三の発明の撮影装置は、第一または第二の発明に対して、環境条件は、湿度をも含む周囲の環境に関する条件であり、受付部は、湿度を示す湿度情報をも有する環境情報を受け付ける撮影装置である。
【００１０】
このような構成により、周囲の湿度をも含む周囲の環境に応じて、撮影時の設定を自動的に調整することができる。
【００１１】
また、本第四の発明の撮影装置は、第一から第三いずれか１つの発明に対して、受付部は、環境情報を受信する撮影装置である。
【００１２】
このような構成により、周囲の環境を示す情報を外部から受信することができる。
【００１３】
また、本第五の発明の撮影装置は、第四の発明に対して、受付部は、現在位置に対応する環境を示す環境情報を受信する撮影装置である。
【００１４】
このような構成により、現在の位置に対応する環境を示す情報を外部から受信することができる。
【００１５】
また、本第六の発明の撮影装置は、第一から第四いずれか１つの発明に対して、設定情報は、ホワイトバランスの設定を示す情報である撮影装置である。
【００１６】
このような構成により、周囲の環境に応じて撮影時のホワイトバランスの設定を自動的に調整することができる。
【発明の効果】
【００１７】
本発明による撮影装置等によれば、周囲の環境に応じて撮影時の設定を自動的に調整することができる。
【図面の簡単な説明】
【００１８】
【図１】実施の形態１における撮影装置１のブロック図
【図２】同撮影装置１の全体動作について説明するフローチャート
【図３】同設定管理情報の例を示す図
【図４】上記実施の形態におけるコンピュータシステムの概観図
【図５】上記実施の形態におけるコンピュータシステムのブロック図
【発明を実施するための形態】
【００１９】
以下、本発明による撮影装置等の実施形態について図面を参照して説明する。なお、実施の形態において同じ符号を付した構成要素は同様の動作を行うので、再度の説明を省略する場合がある。また、本実施の形態において説明する各情報の形式、内容などは、あくまで例示であり、各情報の持つ意味を示すことができれば、形式、内容などは問わない。
【００２０】
（実施の形態１）
本実施の形態において、周囲の環境に応じて撮影時の設定を自動的に調整する撮影装置１について説明する。
【００２１】
なお、本実施の形態における撮影装置１は、例えば、いわゆるデジタルカメラや、カメラ機能を備える携帯端末などである。当該携帯端末は、例えば、スマートフォンや、携帯電話、タブレット型のパソコンなどである。
【００２２】
図１は、本実施の形態における撮影装置１のブロック図である。撮影装置１は、設定管理情報格納部１１、受付部１２、設定情報取得部１３、撮影設定部１４、撮影部１５を備える。
【００２３】
設定管理情報格納部１１には、１以上の設定管理情報が格納される。設定管理情報とは、環境条件と、設定情報とを有する情報である。環境条件とは、周囲の環境に関する条件である。また、環境条件は、設定情報を取得するための条件でもある。また、設定情報とは、撮影時の設定を示す情報である。なお、環境条件と設定情報とは、通常、対応付いている。
【００２４】
周囲とは、通常、撮影装置１の周囲である。また、環境とは、例えば、天候や、気温、湿度などである。天候とは、通常、いわゆる天気のことである。天候は、例えば、雲量や、照度などを含んでもよい。また、気温は、周囲の温度であってもよい。また、周囲の環境とは、通常、現在位置の周囲の環境である。
【００２５】
ここで、天候に関する条件を、以下、適宜、天候条件とする。天候条件は、例えば、現在の天候が所定の天候であることや、現在の天候が所定の２以上の天候のいずれかであることなどである。また、気温に関する条件を、以下、適宜、気温条件とする。気温条件は、例えば、現在の気温が所定の気温以下であることや、現在の気温が所定の気温以上であること、現在の気温が所定の気温以上かつ所定の気温未満であることなどである。また、湿度に関する条件を、以下、適宜、湿度条件とする。湿度条件は、例えば、現在の湿度が所定の湿度以上であること、現在の湿度が所定の湿度以上かつ所定の湿度未満であることなどである。
【００２６】
また、環境条件は、上記の３つの条件のうちの１つ、または２以上の組み合わせである。当該組み合わせは、通常、ＡＮＤ（論理積）であるが、ＯＲ（論理和）であってもよい。
【００２７】
また、ここで、周囲の環境を示す情報を、環境情報とする。環境情報は、例えば、現在の天候を示す天候情報や、現在の気温を示す気温情報、現在の湿度を示す湿度情報などである。また、環境条件は、通常、環境情報に関する条件でもある。
【００２８】
また、設定情報とは、通常、後述の撮影部１５が撮影を行う際の設定を示す情報である。当該設定とは、例えば、撮影モードや、ホワイトバランス、シャッタースピード、絞り値（Ｆ値）、露出補正（ＥＶ）、ＩＳＯ感度などである。また、設定情報は、撮影時のパラメータとしてもよい。また、設定情報は、撮影に関連する設定項目の設定内容としてもよい。また、設定情報は、例えば、２以上の設定項目の設定内容を示す情報であることが好適である。
【００２９】
また、設定管理情報格納部１１は、不揮発性の記録媒体が好適であるが、揮発性の記録媒体でも実現可能である。また、設定管理情報格納部１１に設定管理情報が記憶される過程は、問わない。例えば、当該設定管理情報は、記録媒体や、通信回線、入力デバイスなどを介して設定管理情報格納部１１などに記憶されてもよい。
【００３０】
受付部１２は、環境情報を受け付ける。受け付けとは、有線もしくは無線の通信回線を介して送信された情報の受信、光ディスクや磁気ディスク、半導体メモリなどの記録媒体に格納されている情報の取得、タッチパネルや、キーボードなどの入力デバイスから入力された情報の取得などを含む概念である。つまり、受付部１２は、環境情報を受信してもよい。この場合、環境情報は、例えば、環境情報を送信するサーバから定期的に送信されており、受付部１２は、当該送信されている環境情報を受信する。
【００３１】
また、環境情報を受信する場合、受付部１２は、通常、現在位置に対応する環境情報を受信する。この場合、受付部１２は、まず、現在の位置を示す位置情報である現在位置情報を受け付ける。位置情報は、通常、経緯度を示す情報である。また、位置情報は、例えば、都道府県名や、市区町村名、地域名などであってもよい。そして、図示しない送信部が、当該現在位置情報を、上記のサーバに送信する。そして、受付部１２は、現在位置情報に対応する環境情報を受信する。
【００３２】
なお、上記の場合において、サーバは、通常、位置情報と環境情報との対応表を保持している。そして、サーバは、撮影装置１から現在位置情報を受信する。そして、サーバは、受信した現在位置情報に対応する環境情報を取得する。そして、サーバは、取得した環境情報を端末装置１に送信する。
【００３３】
また、受付部１２は、例えば、撮影する指示である撮影指示や、電源ＯＮの指示、電源ＯＦＦの指示などを受け付けてもよい。この場合、撮影装置１は、通常、当該受け付けた指示に応じた所定の処理を行う。
【００３４】
なお、環境情報は、通常、図示しない環境情報取得部が取得する。そして、受付部１２は、当該環境情報取得部が取得した環境情報を受け付ける。この場合、環境情報取得部は、例えば、照度計や、雲量計、雨量計、気温計、温度計、湿度計などの装置から、天候情報や気温情報などの環境情報を取得する。また、この場合、環境情報取得部は、これらの装置を有していてもよいし、これらの装置で実現され得てもよい。また、環境情報取得部の処理手順は、通常、ソフトウェアで実現され、当該ソフトウェアはＲＯＭ等の記録媒体に記録されている。
【００３５】
また、現在位置情報は、通常、図示しない現在位置情報取得部が取得する。そして、受付部１２は、当該現在位置情報取得部が取得した現在位置情報を受け付ける。この場合、現在位置情報取得部は、通常、衛星航法システム（ＧＰＳ受信機など）や、移動体通信用の基地局から位置情報を受信する装置、現在位置情報が格納されている所定の記憶領域などから、現在位置情報を取得する。この場合、現在位置情報取得部は、これらの装置を有していてもよいし、これらの装置で実現され得てもよい。また、現在位置情報取得部の処理手順は、通常、ソフトウェアで実現され、当該ソフトウェアはＲＯＭ等の記録媒体に記録されている。
【００３６】
また、受付部１２における情報や指示などの入力手段は、メニュー画面によるものや、キーボードなど、何でもよい。受付部１２は、メニュー画面の制御ソフトウェアや、キーボード等の入力手段のデバイスドライバーなどで実現され得る。
【００３７】
設定情報取得部１３は、環境情報が合致する環境条件に対応する設定情報を取得する。当該環境情報は、受付部１２が受け付けた環境情報である。また、当該環境条件および設定情報は、設定管理情報格納部１１に格納されている１以上の設定情報のいずれかが有する環境条件および設定情報である。
【００３８】
設定情報取得部１３は、通常、受付部１２が受け付けた環境情報が、設定管理情報格納部１１に格納されている１以上の設定管理情報が有する環境条件のいずれに合致するか否かを判断する。そして、設定情報取得部１３は、合致すると判断した環境条件を有する設定管理情報から、設定情報を取得する。
【００３９】
例えば、環境情報が、天候情報「晴」であるとする。また、例えば、環境条件が、「天候＝（晴ｏｒ曇）」であるとする。当該環境条件は、現在の天候が、晴または曇であることを意味する。この様な場合、設定情報取得部１３は、当該環境情報が当該環境条件に合致すると判断する。そして、設定情報取得部１３は、当該環境条件に対応付いている設定情報を取得する。
【００４０】
また、例えば、環境情報が、気温情報「２４．５℃」であるとする。また、例えば、環境条件が、「２２℃≦気温＜２５℃」であるとする。当該環境条件は、現在の気温が、２２℃以上２５℃未満であることを意味する。この様な場合、設定情報取得部１３は、当該環境情報が当該環境条件に合致すると判断する。そして、設定情報取得部１３は、当該環境条件に対応付いている設定情報を取得する。
【００４１】
また、例えば、環境情報が、湿度情報「５０％」であるとする。また、例えば、環境条件が、「４０％≦湿度＜７０％」であるとする。当該環境条件は、現在の湿度が、４０％以上７０％未満であることを意味する。この様な場合、設定情報取得部１３は、当該環境情報が当該環境条件に合致すると判断する。そして、設定情報取得部１３は、当該環境条件に対応付いている設定情報を取得する。
【００４２】
また、例えば、環境情報が、天候情報「曇」と気温情報「２２℃」であるとする。また、例えば、環境条件が、「（天候＝（晴ｏｒ曇））＆（２０℃≦気温＜２５℃）」であるとする。当該環境条件は、現在の気温が、２０℃以上２５℃未満であり、かつ、現在の天候が晴または曇であることを意味する。この様な場合、設定情報取得部１３は、当該環境情報が当該環境条件に合致すると判断する。そして、設定情報取得部１３は、当該環境条件に対応付いている設定情報を取得する。
【００４３】
撮影設定部１４は、設定情報が示す撮影時の設定を行う。当該設定情報は、通常、設定情報取得部１３が取得した設定情報である。また、また、当該設定情報は、例えば、所定の記憶領域に予め格納されている設定情報であってもよい。また、「撮影時の設定を行う」とは、撮影時に使用する各種設定を、設定情報が示す設定に変更することである。言い換えると、「撮影時の設定を行う」とは、設定情報に従い撮影時の設定を変更することである。「撮影時の設定を行う」とは、例えば、撮影モードを変更することや、ホワイトバランスを変更すること、シャッタースピードを変更することなどである。
【００４４】
例えば、設定情報が、「撮影モード：ポートレート」であるとする。この様な場合、撮影設定部１４は、撮影モードを「ポートレート」に設定する。また、例えば、「撮影モード：夜景」であるとする。この様な場合、撮影設定部１４は、撮影モードを「夜景」に設定する。
【００４５】
また、例えば、設定情報が、「ホワイトバランス：２０００Ｋ」であるとする。この様な場合、撮影設定部１４は、ホワイトバランスを「２０００Ｋ」に設定する。また、例えば、設定情報が「ホワイトバランス：晴天」であるとする。この様な場合、撮影設定部１４は、ホワイトバランスを「晴天」に設定する。
【００４６】
また、例えば、設定情報が、「シャッタースピード：１／１００秒」であるとする。この様な場合、撮影設定部１４は、シャッタースピードを「１／１００秒」に設定する。また、例えば、設定情報が「シャッタースピード：２秒」であるとする。この様な場合、撮影設定部１４は、シャッタースピードを「２秒」に設定する。
【００４７】
撮影部１５は、撮影設定部１４が設定した撮影時の設定にて撮影する。例えば、撮影モードが「ポートレート」に設定されている場合、撮影部１５は、当該撮影モードにて撮影する。また、例えば、ホワイトバランスが「晴天」に設定されている場合、撮影部１５は、当該ホワイトバランスにて撮影する。また、例えば、シャッタースピードが「１／１００秒」に設定されている場合、撮影部１５は、当該シャッタースピードにて撮影する。また、撮影部１５は、通常、ＣＭＯＳやＣＣＤなどのイメージセンサ（固体撮像素子）や、イメージセンサを用いたカメラ（デジタルスチルカメラ、デジタルビデオカメラ）などで実現され得る。
【００４８】
なお、設定情報取得部１３、撮影設定部１４は、通常、ＭＰＵやメモリ等から実現され得る。また、設定情報取得部１３などの処理手順は、通常、ソフトウェアで実現され、当該ソフトウェアはＲＯＭ等の記録媒体に記録されている。なお、設定情報取得部１３などは、ハードウェア（専用回路）で実現されてもよい。
【００４９】
次に、撮影装置１の全体動作について、フローチャートを用いて説明する。なお、所定の情報におけるｉ番目の情報は、「情報［ｉ］」と記載するものとする。図２は、撮影装置１の全体動作を示すフローチャートである。図２のフローチャートにおいて、設定管理情報格納部１１には、ｍ個の設定管理情報が格納されているものとする。
【００５０】
（ステップＳ２０１）撮影装置１は、受付部１２が電源ＯＮの指示を受け付けたか否かを判断する。受け付けた場合は、ステップＳ２０２に進み、そうでない場合は、ステップＳ２０１に戻る。
【００５１】
（ステップＳ２０２）撮影装置１は、電源ＯＮの処理を行う。
【００５２】
（ステップＳ２０３）図示しない環境情報取得部は、環境情報の取得を開始する。以降、環境情報取得部は、通常、撮影装置１の電源がＯＦＦになるまで、環境情報を定期的に取得し続ける。また、当該環境情報は、受付部１２が受け付ける。
【００５３】
（ステップＳ２０４）設定情報取得部１３は、ステップＳ２０３で受け付けた環境情報が、１以上の環境条件のいずれに合致するか否かの判断のタイミングであるか否かを判断する。例えば、定期的に当該判断を行うと予め決められている場合、設定情報取得部１３は、以前に当該判断を行ってから、所定の時間が経過したか否かを判断する。そして、判断のタイミングである場合は、ステップＳ２０５に進み、そうでない場合は、ステップＳ２１１に進む。
【００５４】
（ステップＳ２０５）設定情報取得部１３は、カウンタｉに１をセットする。
【００５５】
（ステップＳ２０６）設定情報取得部１３は、ステップＳ２０３で受け付けた環境情報が、設定管理情報［ｉ］が有する環境条件［ｉ］に合致するか否かを判断する。合致する場合は、ステップＳ２０７に進み、そうでない場合は、ステップＳ２０８に進む。
【００５６】
（ステップＳ２０７）設定情報取得部１３は、設定管理情報［ｉ］が有する設定情報［ｉ］を取得する。
【００５７】
（ステップＳ２０８）設定情報取得部１３は、ｉがｍであるか否かを判断する。ｍである場合は、ステップＳ２１０に進み、そうでない場合は、ステップＳ２０９に進む。
【００５８】
（ステップＳ２０９）設定情報取得部１３は、ｉを１インクリメントし、ステップＳ２０６に戻る。
【００５９】
（ステップＳ２１０）撮影設定部１４は、ステップＳ２０７で取得した設定情報に応じた撮影時の設定を行う。
【００６０】
（ステップＳ２１１）撮影部１５は、受付部１２が撮影指示を受け付けたか否かを判断する。受け付けた場合は、ステップＳ２１２に進み、そうでない場合は、ステップＳ２０４に戻る。
【００６１】
（ステップＳ２１２）撮影部１５は、設定されている撮影時の設定にて撮影を行う。
【００６２】
（ステップＳ２１３）撮影装置１は、受付部１２が電源ＯＦＦの指示を受け付けたか否かを判断する。受け付けた場合は、ステップＳ２１４に進み、そうでない場合は、ステップＳ２０４に戻る。
【００６３】
（ステップＳ２１４）撮影装置１は、電源ＯＦＦの処理を行う。
【００６４】
なお、図２のフローチャートにおいて、電源オフや処理終了の割り込みにより処理を終了してもよい。
【００６５】
（具体例）
次に、撮影装置１の動作の具体例について説明する。なお、本具体例において、撮影装置１は、いわゆるデジタルカメラであるものとする。また、設定管理情報格納部１１には、図３に示す設定管理情報が格納されているものとする。当該設定管理情報は、レコードを一意に特定するためのＩＤと、環境条件（項目名：条件）と、設定情報（項目名：設定）とを有する。
【００６６】
まず、ユーザが、デジタルカメラを所有している状態で散歩をしているとする。なお、このとき、デジタルカメラは、電源がＯＮであり、いわゆるスリープ状態であるものとする。また、電源がＯＮである間、図示しない天候情報取得部、気温情報取得部、湿度情報取得部のそれぞれは、天候情報、気温情報、湿度情報を定期的に取得するものとする。また、当該取得された各情報は、当該各情報を有する環境情報として、受付部１２が受け付けるものとする。
【００６７】
ここで、受付部１２が、天候情報「晴」を有する環境情報を受け付けたとする。すると、設定情報取得部１３は、当該環境情報が、図３の「ＩＤ＝０１１」の環境条件「天候＝晴」に合致すると判断する。当該環境条件は、天候が晴れであることを意味する。そして、設定情報取得部１３は、図３の「ＩＤ＝０１１」の設定情報「ホワイトバランス：晴天，ＩＳＯ感度：ａｕｔｏ，シャッタースピード：１／２０００」を取得する。
【００６８】
次に、撮影設定部１４は、図３の「ＩＤ＝０１１」の設定情報に従い、ホワイトバランスの設定を「晴天」に、ＩＳＯ感度の設定を「ａｕｔｏ」に、シャッタースピードの設定を「１／２０００秒」に設定する。
【００６９】
次に、受付部１２が、撮影指示を受け付けたとする。すると、撮影部１５は、上記のホワイトバランス等の設定にて、撮影を行う。
【００７０】
また、例えば、受付部１２が、天候情報「曇」と、湿度情報「６５％」とを有する環境情報を受け付けたとする。すると、設定情報取得部１３は、当該環境情報が、図３の「ＩＤ＝０１４」の環境条件「（天候＝曇）＆（６０％≦湿度＜７０％）」に合致すると判断する。当該環境条件は、天候が曇であり、かつ、湿度が６０％以上７０％未満であることを意味する。そして、設定情報取得部１３は、図３の「ＩＤ＝０１４」の設定情報「ホワイトバランス：晴天，ＩＳＯ感度：１２００，シャッタースピード：１／３００」を取得する。
【００７１】
次に、撮影設定部１４は、図３の「ＩＤ＝０１４」の設定情報に従い、ホワイトバランスの設定を「晴天」に、ＩＳＯ感度の設定を「１２００」に、シャッタースピードの設定を「１／３００秒」に設定する。なお、撮影部１５による撮影の例については、説明を省略する。
【００７２】
また、例えば、受付部１２が、照度を示す天候情報である照度情報「１０ｌｘ」を有する環境情報を受け付けたとする。すると、設定情報取得部１３は、当該環境情報が、図３の「ＩＤ＝０１８」の環境条件「（０ｌｘ≦照度＜２０ｌｘ）」に合致すると判断する。当該環境条件は、照度が０ルクス以上２０ルクス未満であることを意味する。そして、設定情報取得部１３は、図３の「ＩＤ＝０１８」の設定情報「撮影モード：夜景」を取得する。
【００７３】
次に、撮影設定部１４は、図３の「ＩＤ＝０１８」の設定情報に従い、撮影モードの設定を「夜景」に設定する。なお、撮影部１５による撮影の例については、説明を省略する。
【００７４】
以上、本実施の形態による撮影装置１によれば、周囲の環境に応じて撮影時の設定を自動的に調整することができる。
【００７５】
また、上記各実施の形態において、一の装置に存在する２以上の通信手段は、物理的に一の媒体で実現されてもよいことは言うまでもない。
【００７６】
また、上記各実施の形態における撮影装置は、例えば、スタンドアロンの装置であってもよいし、サーバ・クライアントシステムにおけるサーバ装置であってもよい。
【００７７】
また、上記各実施の形態において、各処理または各機能は、単一の装置または単一のシステムによって集中処理されることによって実現されてもよいし、あるいは、複数の装置または複数のシステムによって分散処理されることによって実現されてもよい。
【００７８】
また、上記各実施の形態において、各構成要素は専用のハードウェアにより構成されてもよいし、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。
【００７９】
また、上記各実施の形態における撮影装置を実現するソフトウェアは、例えば、以下のようなプログラムである。つまり、このプログラムは、周囲の環境に関する条件である環境条件と、撮影時の設定を示す設定情報とを有する１以上の設定管理情報が格納される設定管理情報格納部にアクセス可能なコンピュータを、周囲の環境を示す環境情報を受け付ける受付部と、前記受付部が受け付けた環境情報が合致する環境条件に対応する設定情報を取得する設定情報取得部と、前記設定情報取得部が取得した設定情報が示す撮影時の設定を行う撮影設定部として機能させるためのプログラムである。
【００８０】
なお、上記プログラムにおいて、上記プログラムが実現する機能には、ハードウェアでしか実現できない機能は含まれない。
【００８１】
また、上記プログラムは、サーバなどからダウンロードされることによって実行されてもよいし、所定の記録媒体（例えば、ＣＤ−ＲＯＭなどの光ディスクや磁気ディスク、半導体メモリなど）に記録されたプログラムが読み出されることによって実行されてもよい。また、このプログラムは、プログラムプロダクトを構成するプログラムとして用いられてもよい。
【００８２】
また、上記プログラムを実行するコンピュータは、単数であってもよいし、複数であってもよい。つまり、集中処理を行ってもよいし、あるいは分散処理を行ってもよい。
【００８３】
また、図４は、前述のプログラムを実行して、前述の実施の形態の撮影装置等を実現するコンピュータシステム９の概観図である。前述の実施の形態は、コンピュータハードウェア及びその上で実行されるコンピュータプログラムで実現され得る。
【００８４】
図４において、コンピュータシステム９は、ＣＤ−ＲＯＭドライブ９０１１、ＦＤドライブ９０１２を含むコンピュータ９０１と、キーボード９０２と、マウス９０３と、モニタ９０４とを備える。
【００８５】
図５は、コンピュータシステム９のブロック図である。図５において、コンピュータ９０１は、ＣＤ−ＲＯＭドライブ９０１１、ＦＤドライブ９０１２に加えて、ＭＰＵ９０１３と、ブートアッププログラム等のプログラムを記憶するためのＲＯＭ９０１４と、ＭＰＵ９０１３に接続され、アプリケーションプログラムの命令を一時的に記憶するとともに一時記憶空間を提供するためのＲＡＭ９０１５と、アプリケーションプログラム、システムプログラム、及びデータを記憶するためのハードディスク９０１６と、ＣＤ−ＲＯＭドライブ９０１１、ＦＤドライブ９０１２、ＭＰＵ９０１３等を相互に接続するバス９０１７とを備える。ここでは図示しないが、コンピュータ９０１は、さらに、ＬＡＮへの接続を提供するネットワークカードを備えていてもよい。
【００８６】
コンピュータシステム９に、前述の実施の形態の撮影装置等の機能を実行させるプログラムは、ＣＤ−ＲＯＭ９１０１、またはＦＤ９１０２に記憶されて、ＣＤ−ＲＯＭドライブ９０１１またはＦＤドライブ９０１２に挿入され、さらにハードディスク９０１６に転送されてもよい。これに代えて、プログラムは、図示しないネットワークを介してコンピュータ９０１に送信され、ハードディスク９０１６に記憶されてもよい。プログラムは実行の際にＲＡＭ９０１５にロードされる。プログラムは、ＣＤ−ＲＯＭ９１０１、ＦＤ９１０２またはネットワークから直接、ロードされてもよい。
【００８７】
プログラムは、コンピュータ９０１に、前述の実施の形態の撮影装置等の機能を実行させるオペレーティングシステム（ＯＳ）、またはサードパーティープログラム等は、必ずしも含まなくてもよい。プログラムは、制御された態様で適切な機能（モジュール）を呼び出し、所望の結果が得られるようにする命令の部分のみを含んでいればよい。コンピュータシステム９がどのように動作するかは周知であり、詳細な説明は省略する。
【００８８】
本発明は、以上の実施の形態に限定されることなく、種々の変更が可能であり、それらも本発明の範囲内に包含されるものであることは言うまでもない。
【産業上の利用可能性】
【００８９】
以上のように、本発明にかかる撮影装置は、周囲の環境に応じて撮影時の設定を自動的に調整することができるという効果を有し、デジタルカメラ等として有用である。
【符号の説明】
【００９０】
１  撮影装置
１１  設定管理情報格納部
１２  受付部
１３  設定情報取得部
１４  撮影設定部
１５  撮影部
【図１】
2014134638.tif 000003
【図２】
2014134638.tif 000004
【図３】
2014134638.tif 000005
【図４】
2014134638.tif 000006
【図５】
2014134638.tif 000007